(57)【特許請求の範囲】
【請求項１】
対物レンズから光として入ってくる被写体の光学像を当該対物レンズを含むレンズ群を透過させて情報記録媒体に記録できるようにした撮像装置であって、
上記レンズ群には、上記光に含まれている赤外線を除去するための赤外線除去フィルタを設けると共に、当該赤外線除去フィルタを移動させて当該レンズ群の光軸上の光軸位置と当該光軸を外れた外部位置とに切り換えるフィルタ切換手段を有し、
上記フィルタ切換手段は、複数のリンク部材を互いに動力伝達可能に連結することにより構成されるリンク装置からなり、上記リンク装置の一端に上記赤外線除去フィルタを保持すると共に当該リンク装置の他端を操作ツマミとして上記レンズ群が収納されるカメラ外装体の外面に露出して、
上記リンク装置は、上記赤外線除去フィルタを保持すると共に上記レンズ群が内蔵されたレンズブロック筐体に回動自在に支持されるフィルタ保持リンクと、当該フィルタ保持リンクに動力伝達可能に係合され且つ上記レンズブロック筐体に回動自在に支持される回動リンクと、当該回動リンクに動力伝達可能に係合され且つ上記カメラ外装体にスライド自在に支持されるスライドリンクとを具え、上記スライドリンクに上記操作ツマミが設けられ、
上記リンク装置の上記回動リンクは、上記回動の中心から両側方に突出する一対のアーム片を有し、一方のアーム片を上記フィルタ保持リンクに係合させると共に他方のアーム片には上記レンズブロック筐体に支持されるバネ部材を係止し、当該バネ部材のバネ力で当該回動リンクを、上記フィルタ保持リンクを上記光軸位置に保持する赤外線除去側と上記外部位置に保持する赤外線透過側とに選択的に位置させるようにした撮像装置において、
上記スライドリンクは上記レンズブロック筐体の外側をその外周面に沿いながら、上記レンズ群の光軸を略中心として円弧状にスライド移動できるように湾曲形成された板状の部材からなり、
上記スライドリンクに設けられた上記操作ツマミは上記撮像装置の側面に配置され、
上記回動リンクは上記撮像装置の上部に配置されていることを特徴とする撮像装置。
【請求項２】
請求項１記載の撮像装置において、
上記撮像装置は、上記光学像を電気信号に変換すると共に、この電気信号を電気的方法で移動させて映像信号として上記情報記録媒体に記録できるようにしたビデオカメラであることを特徴とする撮像装置。
【請求項３】
請求項２記載の撮像装置において、
上記リンク装置の上記スライドリンクには、当該スライドリンクの操作時に、上記カメラ外装体に取り付けられる板バネとの間でクリック感を生じさせるクリック部を設けたことを特徴とする撮像装置。
【発明の詳細な説明】
【０００１】
【発明の属する技術分野】
本発明は、対物レンズから光として入ってくる被写体の光学像を、例えば電気信号に変換して映像情報として磁気記録媒体に記録したり、或いは感光乳剤が塗布された記録面上に結ばせて画像情報としてフィルム等の画像記録媒体に記録できるようにした撮像装置に関し、特に、上記光に含まれている赤外線を除去するためにレンズ群に組み込まれている赤外線除去フィルタを、そのレンズ群の光軸上と当該光軸を外れた位置とに移動させることができるようにした撮像装置に関するものである。
【０００２】
【従来の技術】
一般に、この種の撮像装置の一具体例を示すカラービデオカメラは、その撮像方式から分類すると、大きく分けて同時撮像方式と時分割撮像方式とに分けられる。この同時撮像方式は、被写体を赤、青、緑の三原色の像に分解し、それらの色を３本の撮像管で同時に撮像する方式である。また、時分割撮像方式は、三原色の像を時間に分割して順繰りに取り出す方式である。
【０００３】
従来、このようなカラービデオカメラにおいては、上述したいずれの方式であっても、その光学系には必ず赤外線（正確にいえば近赤外線）を遮断する赤外線遮断フィルタが使用されている。この赤外線遮断フィルタが使用されのは、次の(1) 〜(3) に述べるような理由によるものである。
(1) 色の分解に使用されるフィルタの分光特性が、可視光域（波長が４００ｎｍ〜７００ｎｍ）に近い７００ｎｍの近くから透過がよくなっている。
(2) カラービジコンには近赤外線（波長が０．７μｍ〜３μｍ）の領域にも感度がある。
(3) 照明に使用される白熱ランプやハロゲンランプ等には近赤外線から赤外線にかけて、大きなエネルギが存在している。
【０００４】
即ち、一般にカラービデオカメラ等に使用される光学系では、眼には感じない光を感知してしまうため、この光学系に入射される光に赤外線が含まれていると再現されたカラー画像が濁って再現性が悪くなるおそれがある。そのため、この種のカラービデオカメラ等では撮影に害のある近赤外線や赤外領域の光をその入射光からカットするために、一般に赤外線除去フィルタが使用されている。
【０００５】
【発明が解決しようとする課題】
しかしながら、上述したような従来の赤外線除去フィルタを使用しているカラービデオカメラ等の撮像装置においては、レンズ群に含まれる赤外線除去フィルタはその光学系の光軸上に常に配置されており、このレンズ群の対物レンズから入力される光は、常に赤外線除去フィルタを通過して固体撮像素子等の受光部に入射されるようになっていた。
【０００６】
そのため、例えば昼間に屋外で撮影するような場合には、対物レンズから入力される光の量が十分に存在することから赤外線除去フィルタで赤外線を除去した後の光であっても十分に鮮明な光学像を得ることができるが、夕暮時や屋内のように十分な光量が得られない場合には、赤外線除去フィルタの介在によって光量がより不足することになり、被写体の鮮明な撮影ができなくなるという課題があった。
【０００７】
本発明は、かかる従来の課題に鑑みてなされたものであり、例えば、夕暮時や屋内等のように撮影に際して十分な光量が得られない場合には、赤外線除去フィルタをレンズ群の光軸上から外に移動させて赤外線を含む光を透過させることにより、その赤外線を利用して光学系の感度を上げるようにして、上記課題を解決することを目的としている。
【０００８】
【課題を解決するための手段】
本発明の撮像装置は、上述したような課題等を解決し、上記目的を達成するために、対物レンズから光として入ってくる被写体の光学像を対物レンズを含むレンズ群を透過させて情報記録媒体に記録できるようにした撮像装置であって、レンズ群には、光に含まれている赤外線を除去するための赤外線除去フィルタを設けると共に、その赤外線除去フィルタを移動させてレンズ群の光軸上の光軸位置と光軸を外れた外部位置とに切り換えるフィルタ切換手段を有し、そのフィルタ切換手段は、複数のリンク部材を互いに動力伝達可能に連結することにより構成されるリンク装置からなり、そのリンク装置の一端に赤外線除去フィルタを保持すると共にリンク装置の他端を操作ツマミとしてレンズ群が収納されるカメラ外装体の外面に露出して、リンク装置は、赤外線除去フィルタを保持すると共にレンズ群が内蔵されたレンズブロック筐体に回動自在に支持されるフィルタ保持リンクと、そのフィルタ保持リンクに動力伝達可能に係合され且つレンズブロック筐体に回動自在に支持される回動リンクと、その回動リンクに動力伝達可能に係合され且つカメラ外装体にスライド自在に支持されるスライドリンクとを具え、そのスライドリンクに操作ツマミが設けられ、リンク装置の回動リンクは、回動の中心から両側方に突出する一対のアーム片を有し、一方のアーム片をフィルタ保持リンクに係合させると共に他方のアーム片にはレンズブロック筐体に支持されるバネ部材を係止し、そのバネ部材のバネ力で回動リンクを、フィルタ保持リンクを光軸位置に保持する赤外線除去側と外部位置に保持する赤外線透過側とに選択的に位置させるようにした撮像装置において、スライドリンクはレンズブロック筐体の外側をその外周面に沿いながら、レンズ群の光軸を略中心として円弧状にスライド移動できるように湾曲形成された板状の部材からなり、スライドリンクに設けられた操作ツマミは撮像装置の側面に配置され、回動リンクは撮像装置の上部に配置されていることを特徴としている。
【０００９】
本発明は、上述のように構成したことにより、例えば昼間に屋外で撮影するように入射光の量が十分にある場合には、赤外線除去フィルタをレンズ群の光軸上にセットしておくことにより、入射光に含まれている赤外線を除去して鮮明な光学像を得ることができる。その一方、夕暮時や屋内で撮影するように入射光の量が不足する場合には、フィルタ切換手段で赤外線除去フィルタをレンズ群の光軸から外すことにより、入射光に含まれている赤外線を利用して鮮明な光学像を得ることができる。
【００１０】
【発明の実施の形態】
以下、本発明の実施の形態を図面を参照して説明する。図１〜図１０は、本発明の第１の実施の例を示すもので、撮像装置の一具体例としてビデオカメラに適用したものである。この第１の例において、図１はビデオカメラの外観斜視図、図２はビデオカメラのカメラ外装体とレンズブロックとの関係を示す側面図、図３は同じくカメラ外装体とレンズブロックとの関係を示す正面図、図４は同じくカメラ外装体とレンズブロックとの関係を示す平面図、図５はビデオカメラのレンズブロックを示す側面図、図６は同じくレンズブロックの側面から見た断面図、図７は同じくレンズブロックを示す正面図、図８は同じくレンズブロックを示す平面図、図９は図６のＸ−Ｘ線部分の断面図、図１０はリンク装置の分解斜視図である。
【００１１】
また、図１１〜図１３は、本発明の他の実施の例を示すもので、図１１は操作ツマミとして押釦式のスイッチを適用したもの、図１２は操作ツマミとして回転式のダイアルを適用したもの、図１３は操作ツマミとしてスライド式のダイアルを適用したものである。
【００１２】
このビデオカメラ１は、被写体である像を光としてとらえてその光学像を電気信号に変換するカメラ機構部と、このカメラ機構部からの電気信号を電気的方法で処理して情報記録媒体の一具体例を示すテープ状記録媒体に情報信号として記録すると共に記録された情報信号を任意に再生することができるビデオ機構部と、これらカメラ機構部及びビデオ機構部が収納されるキャビネットとしてのカメラ外装体２とから構成されている。
【００１３】
図示しないが、ビデオカメラ１のビデオ機構部は、情報記録媒体の一具体例を示す磁気テープが収納されたカセットテープが着脱可能に装着されるメカデッキと、このメカデッキ等を駆動して磁気テープを回転ドラムに巻き付けるローディング機構と、回転ドラムに設けられる磁気ヘッドを用いて磁気テープに対して情報信号を記録し或いは予め記録されている情報信号を再生する等の制御を行うためのビデオ回路等から構成されている。
【００１４】
また、ビデオカメラ１のカメラ機構部は、被写体に対向される対物レンズ３を有し且つこの対物レンズ３から光として入ってくる被写体の光学像を透過させて受光部に像を結ぶレンズ群４と、このレンズ群４を透過して受光部に結ばれた光学像を電気信号に変換するＣＣＤ撮像素子と、対物レンズ３でとらえた像を目で見るためのビューファインダと、レンズ群４のピント合わせや絞り量の調整等を行うモータ等の駆動を制御する電子部品の組み合わせからなるカメラ回路等から構成されている。
【００１５】
図１に示すように、カメラ外装体２は、上下方向に高く且つ奥行方向に長く形成された略四角形をなすブロック状の筐体からなり、その正面の上部にはレンズ穴２ａが設けられている。このレンズ穴２ａの内側には、自動的にピント合わせが可能なオートフォーカス機構や自動的に像の拡大及び縮小調節が可能なズーム機構等を備えたレンズ群４を有するレンズブロック５が配設されており、このレンズブロック５の前面に位置する対物レンズ３がレンズ穴２ａに露出されている。このカメラ外装体２の正面の下部には、前方に指向性を向けた状態でマイクロホン６が取り付けられている。
【００１６】
このカメラ外装体２の上面には、レンズブロック５と同じく前後方向へ延びるようにビューファインダ７が取り付けられている。このビューファインダ７は、その前部がカメラ外装体２に回動可能に支持されており、この支持部を中心にビューファインダ７を上下方向へ回動させることにより、突出側の先端部に取り付けたアイカップ８を上下方向へ大きく回動変位させることができる。このビューファインダ７の回動側の上面には、例えばガンズームマイクやビデオライト等のアクセサリーを取り付けるためのアクセサリーシュー９が設けられている。
【００１７】
また、カメラ外装体２の一方の側面には、ビューファインダ７と同様の役割を果たす液晶モニタ１０が取り付けられている。この液晶モニタ１０は、その前部に設けられた継手部１０ａの作用により所定の範囲内において、そのモニタ画面を前方や上方或いは下方等へ自由に回転変位できるようになっている。更に、カメラ外装体２の一方の側面の前側上部には、このビデオカメラ１のメインスイッチ１１が設けられている。このメインスイッチ１１は、電源のオン・オフ切り換えと、電源オン時におけるカメラモードとビデオモードとの切り換えを行うものである。このカメラ外装体２の後面にはバッテリー電源１２が着脱可能に取り付けられている。
【００１８】
このような構成を有するカメラ外装体２に対してレンズブロック５は、図２〜図４に示すような位置関係となるように配置されている。即ち、レンズブロック５は、カメラ外装体２の前側上部に取り付けられ、その光軸ＯＬは前後方向に設定されている。
【００１９】
このレンズブロック５は、複数枚の凹若しくは凸レンズ又は凹凸レンズの組み合わせからなるレンズ群４と、このレンズ群４を固定又は移動可能に保持するレンズブロック筐体１４とを有している。レンズブロック筐体１４は、図６に断面して示すように、３枚のレンズの組み合わせからなる対物レンズ群１３が先端部に固定される主鏡筒１４ａと、２枚のレンズの組み合わせからなる受光側レンズ群１５が後端部に固定される後部鏡筒１４ｂと、両鏡筒１４ａ，１４ｂ間に介在される中間枠１４ｃとからなり、これらが取付ネジにより締結されて一体的に構成されている。
【００２０】
このレンズブロック筐体１４の主鏡筒１４ａの内部には、３枚のレンズの組み合わせからなるズームレンズ群１６がズーム用移動枠１７に取り付けられて配置されている。このズーム用移動枠１７は、図示しないズーム駆動機構によって対物レンズ群１３に対して接近及び離反可能に構成されており、実線で示す位置と二点鎖線で示す位置との間を移動することができる。この主鏡筒１４ａの基部が固定される中間枠１４ｃの中央部には、１枚の固定レンズ１８が取り付けられている。そして、中間枠１４ｃの主鏡筒１４ａとは反対側の面に後部鏡筒１４ｂが取り付けられている。
【００２１】
この後部鏡筒１４ｂの内部には、２枚のレンズの組み合わせからなるフォーカスレンズ群２０がフォーカス用移動枠２１に取り付けられて配置されている。このフォーカス用移動枠２１は、図示しないフォーカス駆動機構によって固定レンズ１８に対して接近及び離反可能に構成されており、実線で示す位置と二点鎖線で示す位置との間を移動することができる。この後部鏡筒１４ｂの固定レンズ１８と反対側の後部には２枚の受光側フィルタ２２が取り付けられ、その外側にＣＣＤ撮像素子２３が配置されて後部鏡筒１４ｂに固定されている。
【００２２】
図６に示すように、後部鏡筒１４ｂの中間枠１４ｃ側の基部には、赤外線除去フィルタ２４が収納されるフィルタ収納部２５が設けられている。このフィルタ収納部２５の上部には、後部鏡筒１４ｂの端面から中間枠１４ｃ側に突出する回動軸２６が設けられており、この回動軸２６にはフィルタ保持リンク２７が回動自在に支持されている。このフィルタ保持リンク２７は、回動軸２６が回動可能に嵌合される軸受穴を中途部に有するアーム部２７ａと、このアーム部２７ａの一端に連続して設けられたリング状のフィルタ保持部２７ｂとを有し、このフィルタ保持部２７ｂに赤外線除去フィルタ２４が固定されている。
【００２３】
図９に示すように、フィルタ保持リンク２７に固定された赤外線除去フィルタ２４は、回動軸２６に嵌合保持されて吊り下げられた自由状態においては、その中央部がレンズ群４の光軸ＯＬ上に位置するように形成されている。そして、フィルタ保持リンク２７のアーム部２７ａのフィルタ保持部２７ｂと反対側の端部には、二股状に形成された入力部２７ｃが設けられている。この入力部２７ｃに回転モーメントを加えてフィルタ保持リンク２７を回動軸２６を中心に回動させることにより、赤外線除去フィルタ２４がレンズ群４の光軸ＯＬ上の光軸位置Ａとこの光軸ＯＬを外れた外部位置Ｂとに選択的に位置し得るように構成されている。
【００２４】
このフィルタ保持リンク２７のフィルタ保持部２７ｂには、その回動方向の両側に突出する左右のストッパ片２８ａ，２８ｂが設けられている。一方のストッパ片２８ａは、フィルタ保持リンク２７を光軸位置Ａに位置決めするためのもので、このストッパ片２８ａに対応させて後部鏡筒１４ｂには、光軸位置Ａにおいてストッパ片２８ａに当接して位置決めをなすストッパ受軸２９ａが設けられている。また。他方のストッパ片２８ｂは、フィルタ保持リンク２７を外部位置Ｂに位置決めするためのもので、このストッパ片２８ｂに対応させて後部鏡筒１４ｂには、外部位置Ｂにおいてストッパ片２８ｂに当接して位置決めをなすストッパ受部２９ｂが設けられている。
【００２５】
更に、フィルタ保持リンク２７の各ストッパ片２８ａ，２８ｂには、後部鏡筒１４ｂの端面側に突出するガイドピン３０ａ，３０ｂが設けられている。そして、これらのガイドピン３０ａ，３０ｂに対応させて後部鏡筒１４ｂの端面には、それぞれのガイドピン３０ａ，３０ｂが摺動可能に係合されるガイド溝３１ａ，３１ｂが円弧状に形成されている。これらのガイド溝３１ａ，３１ｂでガイドピン３０ａ，３０ｂをそれぞれガイドすることにより、フィルタ保持リンク２７の回動を容易にして赤外線除去フィルタ２４が確実に切り換えられるようにしている。
【００２６】
このような構成を有するフィルタ保持リンク２７の入力部２７ｃは、図７に示すように、後部鏡筒１４ｂの上部に設けられ且つ主鏡筒１４ａ側に開口されたアーム収納部３２に挿入されている。このアーム収納部３２には、図８に示すように、レンズブロック筐体１４の前後方向に延在された回動リンク３３の後部アーム３３ａが挿入され、この後部アーム３３ａの後端に設けられた係合ピン３３ｂがアーム収納部３２内においてフィルタ保持リンク２７の二股部分に入り込み、入力部２７ｃと動力伝達可能に連結されている。
【００２７】
この回動リンク３３は、その中途部が主鏡筒１４ａの上面に取付ネジ３４によって回動自在に支持されており、この回動中心から前方に延びる前部アーム３３ｃには、上方に突出する連結ピン３５と下方に突出するバネ係止ピン３６とが設けられている。そして、バネ係止ピン３６には、バネ部材の一具体例を示すΩ形バネ３７の一端が係止されている。このΩ形バネ３７の他端は、主鏡筒１４ａの上面に設けられたバネ係止ピン３８に係止されており、このΩ形バネ３７のバネ力によって回動リンク３３が、図８において実線で示す位置と二点鎖線で示す位置とのいずれかに位置するように付勢されている。
【００２８】
この回動リンク３３の連結ピン３５には、図５及び図１０に示すように、スライドリンク４０の係合穴４１が嵌合されている。スライドリンク４０は、レンズブロック５の外側をその外周面に沿って円弧状にスライド移動できるように湾曲形成された板状の部材からなり、その湾曲方向の一側には連結アーム４０ａが設けられていて、この連結アーム４０ａの先端部に四角形の係合穴４１が開口されている。このスライドリンク４０の連結アーム４０ａを含む３箇所には、湾曲方向に延びるガイド溝４２ａ，４２ｂ，４２ｃが設けられている。
【００２９】
これら３つのガイド溝４２ａ，４２ｂ，４２ｃはスライドリンク４０を円周方向にスムースに移動させるために設けたもので、各ガイド溝４２ａ，４２ｂ，４２ｃに対応させてカメラ外装体２には、３つのガイド突条４３ａ，４３ｂ，４３ｃが設けられている。そして、図５に示すように、各ガイド突条４３ａ，４３ｂ，４３ｃをこれに対応するガイド溝４２ａ，４２ｂ，４２ｃに係合させた状態で、スライドリンク４０がカメラ外装体２に円周方向へスライド移動可能に保持されている。
【００３０】
更に、スライドリンク４０のガイド溝４２ｃの外側には、外面側に突出する操作ツマミ４４が設けられている。この操作ツマミ４４は、ガイド溝４２ｃと同方向に延在するように設けられていて、この操作ツマミ４４がカメラ外装体２の開口を貫通し、その上面に設けられたローレット部がカメラ外装体２の外側に突出するようになされている。このスライドリンク４０の操作ツマミ４４と反対側の内面には、山形をなすクリック用の突起４５が設けられている。そして、この突起４５に対応させてカメラ外装体２には、スライドリンク４０の操作時にクリック感を生じさせるための板バネ４６が取り付けられている。
【００３１】
この板バネ４６は、図５に示すように、スライドリンク４０の内側に隠れる程度の長さを有する短冊状の板体からなり、その長手方向の中途部には、スライドリンク４０側に山形に突出する凸部４６ａが設けられている。この板バネ４６の凸部４６ａをスライドリンク４０の突起４５が乗り越える際に、板バネ４６のバネ力によるクリック感が操作ツマミ４４に付与される。
【００３２】
上述したフィルタ保持リンク２７と回動リンク３３とスライドリンク４０とによってリンク装置が構成されており、このリンク装置が、赤外線除去フィルタ２４を光軸位置Ａと外部位置Ｂとに切り換えるフィルタ切換手段の第１の具体例を示している。
【００３３】
このような構成を有するビデオカメラ１において、そのレンズブロック５に内蔵された赤外線除去フィルタ２４は、次のようにしてポジションを切り換えることにより、周囲の光量に応じて好適な被写体の撮影を行うことができる。
【００３４】
まず、被写体が屋外にあって昼間のように周囲の光量が十分にある場合には、赤外線除去フィルタ２４は、図９において実線で示すように、レンズブロック５に内蔵されたレンズ群４の光軸ＯＬと赤外線除去フィルタ２４の中心が一致するように光軸位置Ａにセットしておくようにする。このとき、カメラ外装体２の外に突出している操作ツマミ４４は上部位置にあり、板バネ４６のバネ力によってスライドリンク４０が上部位置に保持されている。
【００３５】
この場合には、レンズ群４の対物レンズ群１３から入射される光量が十分に存在することから、その入射光を赤外線除去フィルタ２４に透過させ、この赤外線除去フィルタ２４で入射光に含まれている赤外線をカットした後、その光を受光部に導くようにする。これにより、受光部における被写体の光学像を鮮明なものにすることができ、きれいな映像信号を得ることができる。
【００３６】
一方、夕暮時や屋内等のように被写体が暗いところにあって十分な光量が得られない場合には、赤外線除去フィルタ２４をレンズ群４の光軸ＯＬ上から外して外部位置Ｂに移動させるようにする。この操作は、カメラ外装体２の外からスライドリンク４０をスライド移動させることによって簡単に行うことができる。
【００３７】
即ち、図５において実線矢印Ｓで示すように、スライドリンク４０を下方へ円弧状にスライド移動させるだけで切換操作を実行することができる。これにより、スライドリンク４０の移動力が、その係合穴４１に係合されている連結ピン３５を介して回動リンク３３に伝達される。そのため、回動リンク３３が、図８に示すように、反時計方向に回動して二点鎖線で示す位置から実線で示す位置に移動し、その反対側に設けられた係合ピン３３ｂが同様に反時計方向に回動される。
【００３８】
これにより、回動リンク３３の回動力が係合ピン３３ｂからフィルタ保持リンク２７の入力部２７ｃに伝達される。そして、回動リンク３３の回動力により、この回動リンク３３の回動方向に展開される面と直交する面方向に回動自在に支持されたフィルタ保持リンク２７が、図９において、レンズブロック筐体１４の回動軸２６を中心に反時計方向に回動されて、実線で示す光軸位置Ａから二点鎖線で示す外部位置Ｂに移動する。
【００３９】
その結果、赤外線除去フィルタ２４がレンズ群４の光軸ＯＬ上から外に移動されるため、赤外線を含む光がレンズ群４を透過して受光部に入射されるようになる。これにより、夕暮時や屋内等のように撮影に際して十分な光量が得られない場合であっても、入射光に含まれている赤外線を利用して光学系の感度を上げることができ、受光部における被写体の光学像を鮮明なものにすることができる。
【００４０】
また、赤外線除去フィルタ２４を外部位置Ｂから光軸位置Ａに戻す場合には、上述した操作とは逆に、操作ツマミ４４を上に押し上げるだけで良いものである。このように操作ツマミ４４を所定位置まで押し上げると、リンク装置が上述した動作と逆の動作を行って、赤外線除去フィルタ２４が外部位置Ｂから光軸位置Ａに戻されることになる。
【００４１】
この実施の例では、操作ツマミ４４が設けられたスライドリンク４０に板バネ４６を接触させると共に、スライドリンク４０に突起４５を設け且つこの突起４５に摺動可能に係合される凸部４６ａを板バネ４６に設ける構成としたため、突起４５が凸部４６ａを乗り越えて移動する際にクリック感を生じさせることができる。従って、このクリック感によって赤外線除去フィルタ２４の切換操作を確実に認識させることができ、その切り換えの誤操作を防止することができる。しかも、操作ツマミ４４の操作は板バネ４６の摩擦力に抗して行う必要があり、その操作にはある程度の指の力が必要であるため、赤外線除去フィルタ２４の切換操作４５ａが誤って簡単に行われるのを防止することができる。
【００４２】
図１１に示す本発明の第２の実施の例は、フィルタ切換手段の第２の例を示すもので、操作ツマミとしてプッシュ・プッシュ方式（プッシュ・プル方式でもよい。）の押釦スイッチ５０を適用し、この押釦スイッチ５０で例えばモータをオン・オフ制御して、赤外線除去フィルタ２４を保持するフィルタ保持リンク２７を回動可能に構成したものである。この押釦スイッチ５０は、カメラ外装体２の液晶モニタ１０のある側面のメインスイッチ１１の近傍に取り付けられている。
【００４３】
この第２の実施の例では、例えば、モータによって駆動されるギア装置を介してフィルタ保持リンク２７とモータとを動力伝達可能に連結するようにする。そして、押釦スイッチ５０の１回目のプッシュ操作でモータを一方（例えば時計方向）に回転させ、２回目のプッシュ（又はプル）操作でモータを他方（反時計方向）に回転させるように構成する。他の構成は、上述した第１の実施の例と同様である。
【００４４】
また、図１２に示す本発明の第３の実施の例は、フィルタ切換手段の第３の例を示すもので、操作ツマミとして回転方式の回転ツマミ５１を適用したものである。この実施の例における他の構成は、上述した第１の実施の例と同じくリンク装置を適用することができ、また、第２の実施の例と同じくモータ駆動によるギア装置を適用することもできる。
【００４５】
この第３の実施の例では、回転ツマミ５１は、カメラ外装体２の上面の先端部に取り付けられている。この回転ツマミ５１を回して図示しないリンク装置等を駆動することにより、回転ツマミ５１の回転方向に応じて上述したと同様にして、赤外線除去フィルタ２４を光軸位置Ａと外部位置Ｂとに切換操作することができる。
【００４６】
更に、図１３に示す本発明の第４の実施の例は、フィルタ切換手段の第４の例を示すもので、操作ツマミとしてスライド方式の摺動ツマミ５２を適用したものである。この実施の例における他の構成は、上述した第１の実施の例と同じくリンク装置を適用することができ、また、第２の実施の例と同じくモータ駆動によるギア装置を適用することもできる。
【００４７】
この第４の実施の例では、摺動ツマミ５２は、カメラ外装体２の上面の先端部に取り付けられている。この摺動ツマミ５２を前後方向に移動させて図示しないリンク装置等を駆動することにより、摺動ツマミ５２の摺動方向に応じて上述したと同様にして、赤外線除去フィルタ２４を光軸位置Ａと外部位置Ｂとに切換操作することができる。
【００４８】
以上説明したが、本発明は上記実施の例に限定されるものではなく、例えば、上記実施の例においては撮像装置としてビデオカメラに適用した例について説明したが、一眼レフカメラやレンズシャッタカメラ等の一般用カメラ（スチルカメラ）は勿論のこと、ビューカメラやステレオカメラ等の一般用途以外のカメラにも適用できるものである。更に、操作ツマミの取付位置についても、上述した実施の例に限定されるものではなく、カメラ外装体２の後面や液晶モニタ１０とは反対側の取手のある面に操作ツマミを配置する構成とすることもできる。
【００４９】
また、光学系の構成についても上記実施の例に限定されるものではなく、レンズ群４に使用されるレンズの枚数やレンズの凹凸形状等についても必要に応じて任意に構成できるものである。このように、本発明は、その趣旨を逸脱しない範囲で種々変更できるものである。
【００５０】
【発明の効果】
以上説明したように、本発明の撮像装置によれば、レンズ群に赤外線除去フィルタを設けると共に、この赤外線除去フィルタを移動させて光軸位置と外部位置とに切り換えるフィルタ切換手段を設け、フィルタ切換手段はリンク装置からなり、そのリンク装置の一端に赤外線除去フィルタを保持し且つ他端を操作ツマミとしてカメラ外装体の外面に露出し、リンク装置はフィルタ保持リンクと回動リンクとスライドリンクとを具え、そのスライドリンクに操作ツマミが設けられ、回動リンクは一対のアーム片を有し、一方のアーム片をフィルタ保持リンクに係合させると共に他方のアーム片にバネ部材を係止し、そのバネ部材のバネ力で回動リンクを赤外線除去側と赤外線透過側とに選択的に位置させるようにした撮像装置において、スライドリンクはレンズブロック筐体の外側をその外周面に沿いながら、レンズ群の光軸を略中心として円弧状にスライド移動できるように湾曲形成された板状の部材からなり、スライドリンクに設けられた操作ツマミは撮像装置の側面に配置され、回動リンクは撮像装置の上部に配置されている構成としたため、例えば昼間に屋外で撮影するように入射光の量が十分にある場合には、赤外線除去フィルタをレンズ群の光軸上にセットして入射光に含まれている赤外線を除去し、鮮明な光学像を得ることができると共に、夕暮時や屋内で撮影するように入射光の量が不足する場合には、フィルタ切換手段で赤外線除去フィルタをレンズ群の光軸から外し、入射光に含まれている赤外線を利用して鮮明な光学像を得ることができる。従って、対物レンズから入ってくる光の量に応じて赤外線を利用して、光量が少ない場合にも鮮明な光学像を受光部に与えることができるという効果が得られる。
【００５１】
更に、本発明の撮像装置によれば、上述したように必要に応じて赤外線除去フィルタを移動させることができるレンズブロックを、使用される部品点数が少なく且つ簡単な構造によって構成することができる。しかも、操作ツマミの動作にはクリック感が付与されているため、赤外線除去フィルタのオン・オフ操作をはっきりと認識できると共に、その操作にはある程度の指の力が必要とされるためその切換操作が容易に行われることがなく、赤外線除去フィルタの切換動作の誤操作を防止することができるという効果も得られる。
【図面の簡単な説明】
【図１】本発明の第１の実施の例を示すもので、撮像装置としてのビデオカメラの外観斜視図である。
【図２】本発明の第１の実施の例に係るビデオカメラのカメラ外装体とレンズブロックとの位置関係を示す側面図である。
【図３】本発明の第１の実施の例に係るビデオカメラのカメラ外装体とレンズブロックとの位置関係を示す正面図である。
【図４】本発明の第１の実施の例に係るビデオカメラのカメラ外装体とレンズブロックとの位置関係を示す平面図である。
【図５】本発明の第１の実施の例に係るビデオカメラのレンズブロックを示す側面図である。
【図６】本発明の第１の実施の例に係るビデオカメラのレンズブロックを縦方向に断面して示す説明図である。
【図７】本発明の第１の実施の例に係るビデオカメラのレンズブロックを示す正面図である。
【図８】本発明の第１の実施の例に係るビデオカメラのレンズブロックを示す平面図である。
【図９】図５のＸ−Ｘ線部分を断面して示す説明図である。
【図１０】本発明の第１の実施の例に係るビデオカメラのリンク装置を分解して示す斜視図である。
【図１１】本発明の第２の実施の例を示すもので、撮像装置としてのビデオカメラの外観斜視図である。
【図１２】本発明の第３の実施の例を示すもので、撮像装置としてのビデオカメラの外観斜視図である。
【図１３】本発明の第４の実施の例を示すもので、撮像装置としてのビデオカメラの外観斜視図である。
【符号の説明】
１  ビデオカメラ（撮像装置）、  ２  カメラ外装体、  ３  対物レンズ、  ４  レンズ群、  ５  レンズブロック、  １４  レンズブロック筐体、  １４ａ  主鏡筒、  １４ｂ  後部鏡筒、  １４ｃ  中間枠、  ２４  赤外線除去フィルタ、  ２７  フィルタ保持リンク、  ３３  回動リンク、  ３７  Ω形バネ（バネ部材）、  ４０  スライドリンク、  ４４  操作ツマミ、  ４６  板バネ、  ５０  押釦スイッチ（操作ツマミ）、  ５１  回転ツマミ（操作ツマミ）、  ５２  摺動ツマミ（操作ツマミ）、  Ａ  光軸位置、  Ｂ外部位置、  ＯＬ  光軸
【図１】
0003968479.tif 000002
【図２】
0003968479.tif 000003
【図３】
0003968479.tif 000004
【図４】
0003968479.tif 000005
【図５】
0003968479.tif 000006
【図６】
0003968479.tif 000007
【図７】
0003968479.tif 000008
【図８】
0003968479.tif 000009
【図９】
0003968479.tif 000010
【図１０】
0003968479.tif 000011
【図１１】
0003968479.tif 000012
【図１２】
0003968479.tif 000013
【図１３】
0003968479.tif 000014